(57)【要約】 【課題】  本発明は、チョークバックの内装部と外装部をそれぞれ別部材として構成し、それぞれ任意に着脱を可能とし、必要に応じて一方を取り替えることにより、その使用態様の多様化を図ると共に使い勝手を高め、更にはファッション性を高めるチョークバックの提供を課題とする。【解決手段】  係る課題を解決するため係るため、一端部を開口部とし他端部を底部とする外装部と、該外装部の開口部内に挿入可能な一段部を開口部とし他端部を底部とする内装部とからなるチョークバックよりなり、外装部の開口部内に着脱自在に内装部を装着可能なチョークバックを用いることによって前記課題を解決でき、特に両者をスナップ止め金具で止着することによって解決できるものである。【選択図】    図１
0003115035.tif 000002
【実用新案登録請求の範囲】
【請求項１】
一端部を開口部とし他端部を底部とする外装部と、該外装部の開口部内に挿入可能な一段部を開口部とし他端部を底部とする内装部とからなるチョークバックであって、
外装部の開口内に着脱自在に内装部を装着可能なことを特徴とするチョークバック
【請求項２】
外装部の開口部内に装着する内装部の着脱が各々に配設した止め具によって止着するものであることを特徴とする請求項１記載のチョークバック。
【請求項３】
内装部の開口部外周縁部であって、その外周縁に沿って等間隔に三箇所止め具を配設すると共に、
外装部の開口部外周縁部であって、その外周縁に沿って等間隔に三箇所止め具を配設し、
内装部を外装部の開口内に挿入して、内装部の外周縁を開口部外側方向に山折りした状態で、外装部の止め具と内装部の止め金具で着脱自在に止着することにより装着することを特徴とする請求項１又は２のいずれかに記載のチョークバック。
【請求項４】
止め具がスナップ止め金具であることを特徴とする請求項１乃至３のいずれかに記載のチョークバック。
【考案の詳細な説明】
【技術分野】
【０００１】
本考案は、ロッククライミング用のチョークバックに関し、より具体的には内袋と外袋を着脱自在にしたチョークバックに関する。
【背景技術】
【０００２】
従来より、ロッククライミングに際して用いる手の滑り止めのチョークを入れるチョークバックは、その機能に着目して各種製造されてきたものである。
【０００３】
この場合、特に岩場での使用に際して岩場に接触することから裂けや破け等を防止するために頑丈に作られ、又チョークの取り出しを容易な構成を前提として形成されているものであり、円筒形の袋状に一の開口部を有した構成のチョークバックが多用されてきているものである。
【考案の開示】
【考案が解決しようとする課題】
【０００４】
以上の様に、ロッククライミング用のチョークバックは、その機能に着目して滑り止め用のチョークをチョークバックの袋内に入れておき、該袋体の常時開口している開口部から手を挿入して手先にチョークをつけるものである。
【０００５】
従って、このチョークバックは、一度使用すると白い粉が周囲に付着することとなるばかりでなく、岩場にて酷使されることから傷等が付くものであり、それほど多数回のロッククライミングに使用するものではなく、数回の使用に耐え得ることを目的として製造されるものである。
【０００６】
特に手を入れるべき袋体内部に関しても全身の力を使っている状態で手探りでチョークを手につける場合も極めて多く、袋体内で力を入れてしまうこともあり、破けてしまうということもあり得るものであった。
以上のように、袋体は一体にて構成され、使用耐用に応じて新規なロッククライミング用チョークバックを取り替えるものである。
【０００７】
尚、一度使用した後に再度使用するに際して、内容物を全部出さないと洗えないものであり、白いチョークをきれいに落とすにはしっかりと洗わなければならないという手間がかかっていた。
従って、内容物の簡単な取替えを可能とする何らかのチョークバックの提供が望まれていたものである。
【０００８】
更に、現在は、この様なロッククライミング用チョークバックはロッククライミングのみならず一般の物入れ用の袋体としてもそのデザイン性の高さから多用され始めており、このバックをより使い勝手の高いバックにすることが望まれており、この様なバックの提供を課題とする。
【０００９】
即ち、例えばロッククライミングとしてチョークバックを収容してロッククライミング用チョークバックとして使用した後、街中でそのバッグを所持して物入れとしても使用できるバックの提供を図るものである。
【００１０】
更に、街中での物入れとして使用するバックとしてよりデザイン性の高い、或いは自己の希望でデザイン性の変化可能な或いは自己の希望するデザインを加味できるロッククライミング用のチョークバックの提供を課題とする。
【課題を解決するための手段】
【００１１】
係るため、請求項１に記載の考案は、一端部を開口部とし他端部を底部とする外装部と、該外装部の開口部内に挿入可能な一段部を開口部とし他端部を底部とする内装部とからなるチョークバックであって、外装部の開口内に着脱自在に内装部を装着可能なチョークバックであり、かかる構成によって前記課題を解決できる。
或いは、請求項２に記載の考案のように外装部の開口部内に装着する内装部の着脱が各々に配設した止め具によって止着するチョークバックによっても達成できる。
【００１２】
更には、請求項３に記載の考案のように、内装部の開口部外周縁部であって、その外周縁に沿って等間隔に三箇所止め具を配設すると共に、外装部の開口部外周縁部であって、その外周縁に沿って等間隔に三箇所止め具を配設し、内装部を外装部の開口内に挿入して、内装部の外周縁を開口部外側方向に山折りした状態で、外装部の止め具と内装部の止め金具で着脱自在に止着することにより装着するチョークバックであってもよい。
【００１３】
これらの場合、請求項４に記載の考案のように、止め具としてスナップ止め金具を用いることによってより使い勝手のよいチョークバックの提供ができる。
【考案の効果】
【００１４】
以上のように構成することにより、まず請求項１に係る考案によって、内装部と外装部をそれぞれ別部材として構成でき、必要に応じて両者を組み合わせて使用でき、各種のデザインを任意に組み合わせることが可能となるばかりでなく、外装部のみを容易に洗うことができると共に、内装部と外装部のいずれかが破れなどしてもその部分のみを取り替えればよく、非常に経済的にもなりうるという極めて大きな効果を有する。
【００１５】
更に、請求項２に係る考案によって、内装部を確実に外装部内に装着でき、不意に外れたりすることがなくなると共にその着脱が容易となるという効果を有する。
又、請求項３に係る考案によって、山折りにて装着することから、該部分にデザインを有効に施すことによって全体的なデザイン価値を高められるものであるばかりでなく、手を挿入する開口部方向の外周縁端部分を覆うことができ、不意な止め具のはずれなどを防止できるばかりでなく、手の開口部への挿入をより容易にスムーズに行えることとなるという効果を有する。
【００１６】
更に請求項４に係る考案のようなスナップ止め金具を用いることにより、その着脱が容易となるばかりでなく止着状態も確実に装着できることとなり、更には取り外しに際してもはずしやすくなるという効果を有する。
特に、チョークを入れた内装部を用いた場合にも、粉が飛び散りにくい状態でその着脱を行えるものである。
【考案を実施するための最良の形態】
【００１７】
図１は本考案に係るロッククライミング用のチョークバックの一例を示す図である。
本図に示すチョークバックは、略円筒形の外装部１と内装部２とからなり、外装部には吊り下げ用のロープを貫通可能なベルト通し部１５を有しており、このベルト通し部15に貫通するロープ３等で身体と該チョークバックを連接するものである。
【００１８】
更に、外装部１の一端部方向には開口部１０を有し、他端部には底部１１を有する袋状形状の外装部１からなる。
この外装部１は、一般的には樹脂や皮革等により構成される場合が多く、特にロッククライミングを行うに際して傷が付くことを防ぐために頑丈な素材で作られるものであってもよい。
【００１９】
但し、使い勝手の点からやわらかい素材が多用されているものであってももちろんよい。
本考案に際しては、この様な素材のほかデザイン性の高い各種一般的に多用されている各種素材からなる外装部１を構成するものであってもよい。
【００２０】
即ち、本考案に係るロッククライミング用のチョークバックに関しては、樹脂製の他、皮革製であってもよく、更には布製やメッシュ等の特殊生地製、又は織物や編み物の他，竹や木或いはこれ等の皮等を用いて形成したもの、或いはゴム製等などであってもよい。
少なくとも、現在袋物等における外装材として使用されているものであればよい。
【００２１】
尚、外装部１の任意位置に孔１６を有しており、該孔１６からひも状部材４の両端部が外部に突出している。
このひも状部材４の中央部分は該孔１６から袋体１内にあり、該中央部分が該孔１６のある外装部１の対向する袋体内部の裏側に設けた挿通部１７に貫通しているものである。
【００２２】
従って、この孔１６より突出しているひも状部材４の両端部を引くことにより、袋体内のひも状部材４の輪が狭まることとなる。
更に、該外装部１の開口部１０外周縁部１２にスナップ５０を等間隔に三箇所設けたものである。
ここでスナップとは、例えば衣服等の合わせ目に用いる凹凸形状の２つ一組の円形の止め金具をいう。
【００２３】
即ち一の部材に設けた凹状スナップと、他の部材に設けた凸状スナップとについて、凹状スナップの凸部を凹状スナップの凹部に嵌入することによって着脱自在に係止するものであり、一の部材と他の部材とを取り付けた状態とすることができる止め金具である。
本図においては、外装部１に凸状スナップ５０を配設してあるが、これに限らず凹状スナップを配設したものであってもよい。
【００２４】
又、本図に示すスナップ止め金具５０に限らず、他の止め金具や止め具等を用いるものであってももちろんよい。
即ち、スナップ止め金具等を含む各種の止め具５であって、着脱自在に止着可能なものであればよい。
【００２５】
更に、本図に示すスナップ止め金具５０は三箇所設けているが、これに限らず二箇所或いは一箇所設けたものであっても、或いは三箇所以上例えば四箇所や五箇所など多数箇所設けたものであってよい。
本図のようにスナップ止め金具を用いた場合には三箇所設ける構成が最適である。
この様な外装部１の袋体内部には内装部２が着脱自在に装着されるものである。
【００２６】
即ち、図１に示すように外装部１の袋体内に挿入可能な外装部よりもやや小さい袋状の内装部２からなり、外装部１と同様に一端部方向には開口部２０を有し、他端部には底部２１を有する袋状形状からなる。
該内装部１の開口部外周縁部２２には凹状のスナップ止め金具５１を等間隔に三箇所設けているものである。
【００２７】
従って、外装部１の袋状内に内装部２を挿入し、それぞれのスナップ止め金具５０，５１同士の凹凸を嵌入することにより内装部２を装着でき、更には該スナップ止め金具５０，５１の凹凸をはずすことにより内装部２を取り外すことができる。
本図に凹状スナップ止め金具５１は外装部１との着脱自在の止着を可能とするものであり、その配設箇所は外装部に応じて任意にも設ければよいものであり、その形状や個数或いは配設箇所はそれぞれ任意に設ければよい。
【００２８】
又、該スナップ止め金具５０，５１は、これに限らず、前述のように一般的な多用されている止め具や止め金具を用いたものでよく、着脱自在に係止又は止着可能な部材を用いればよい。
例えば両者をファスナーにより着脱自在に止着するものでもよいが、このファスナーは壊れやすい欠点を有しており、スナップ止め金具のほうがより最適である。
【００２９】
更に面ファスナーでもよいが、着脱に際して内装部内に入れたチョークの粉がまってしまう可能性があり、スナップ止め金具のほうがより最適である。
図２は、図１の外装部１の内側に内装部２を装着してスナップ止め金具５０，５１で着脱自在に止着した状態を示す図である。
【００３０】
本図のようにチョークバックの内装部２を取り外し可能とすることにより、任意の内装部２を用いることができ、例えばロッククライミング用のチョークを入れた内装部２と、町で物入れとして使うための内装部２とを別々に用意しておき、使用状況に応じて、この内装部を取り替えて使用することができる。
更には、表面装飾状況の異なる外装部１を複数用意しておけば、一の内装部２を必要に応じて任意の外装部１に内装部２を装着できることとなる。
【００３１】
例えば内装部２に関しては、チョークバック用の内装部のほか、各種小物入れに最適な複数のポケットを有する内装部、或いは立毛状の繊維を有する内装部、或いは内装部の外部から視認可能な位置における特殊装飾等を任意に施した内装部など必要に応じて各種の内装部を製造でき、これによって使い勝手を高められるばかりでなくデザイン性の高さを誇れる内装部の提供をも可能とする。
【００３２】
以上のように、本考案に係るチョークバックを用いることにより任意の内装部２を着脱自在に装着してチョークバックを多様に使うことができることとなる。
更に、本図に示すように、内装部２の外周縁２２を開口部２０外側方向に山折りした状態、即ち内装部２の外周縁部２２は外装部１の開口縁部１２に覆いかぶさった状態となり、外装部１の開口縁１２に内装部２の外周縁部２２の裏部である内周縁部２３が表出するものとなることから、該部分２３に色彩や模様などを施すことによりデザイン性の高い装飾を付与できることとなる。
【００３３】
更に、このようにすることにより開口部２０方向から止め具５０，５１部分を隠すことができ、更には不意な力や動作によって止め具部分に手や物が触れることを防止でき、より安全確実なる止着を可能とする。
【００３４】
図３は、外装部１内に配置したひも状部材４の中央部分内に内装部２を挿入した状態を示す図である。
この様に構成することにより、ひも状部材４の両端部を孔１６から引き抜く方向に引くことにより、外装部１内の挿通部１７を支点として袋体内のひも状部材４の輪が狭まる事となり、この輪内に位置させた内装部２はその開口部２０を閉じる方向に閉めることができ、開口部を閉じることができる。
【００３５】
図４は、スナップ止め金具５の配置の他の例を示す図である。
本図に示すように内装部２の外周側面開口部２０方向の外周縁部２２にスナップ止め金具５を４箇所配置すると共に、外装部１の内周面開口部１０方向の内周縁部１３にスナップ止め金具５を同様に４箇所配置した状態を示す図である。
従って、本図のように配置したものであっても内装部２の着脱を可能とする。
【図面の簡単な説明】
【００３６】
【図１】本考案に係る外装部と内装部からなるチョークバックの一例を示す図
【図２】内装部を外装部に装着した状態を示す図
【図３】ひも状部材により開口部を閉鎖した状態を示す図
【図４】本考案に係る外装部と内装部からなるチョークバックの他の一例を示す図
【符号の説明】
【００３７】
１    外装部
１０  開口部
１１  底部
１２  外周縁部
１３  内周縁部
１５  ベルト通し部
１６  孔
２    内装部
２０  開口部
２１  底部
２２  外周縁部
２３  内周縁部
３    ロープ
４    ひも状部材
５    止め具
５０  凸状のスナップ止め金具
５１  凹状のスナップ止め金具
【図１】
0003115035.tif 000003
【図２】
0003115035.tif 000004
【図３】
0003115035.tif 000005
【図４】
0003115035.tif 000006